(57)【要約】【課題】  バスバーを蓄電素子から取り外したときには、バスバーの紛失等を防止するために、バスバーを保管しておく必要がある。【解決手段】  上面に正極端子（１３）および負極端子（１４）を有する複数の蓄電素子（１０）と、複数の蓄電素子を収容するケース（１０１，１０２）と、各蓄電素子の正極端子および負極端子と接触し、複数の蓄電素子を電気的に接続する複数のバスバー（２０）と、ケースの底面（１０１）から上方に延びており、各バスバーを貫通した状態で各バスバーを支持する支持ユニット（３０）と、を有する。【選択図】  図４Ａ
2012028050.tif 000002
【特許請求の範囲】
【請求項１】
上面に正極端子および負極端子を有する複数の蓄電素子と、
前記複数の蓄電素子を収容するケースと、
前記各蓄電素子の前記正極端子および前記負極端子と接触し、前記複数の蓄電素子を電気的に接続する複数のバスバーと、
前記ケースの底面から上方に延びており、前記各バスバーを貫通した状態で前記各バスバーを支持する支持ユニットと、
を有することを特徴とする蓄電装置。
【請求項２】
前記ケースは、互いに接続されるアッパーケースおよびロアーケースを有しており、
前記支持ユニットは、前記ロアーケースに固定されていることを特徴とする請求項１に記載の蓄電装置。
【請求項３】
前記支持ユニットは、前記バスバーを下方に押し付けて前記正極端子および前記負極端子に接触させることを特徴とする請求項１又は２に記載の蓄電装置。
【請求項４】
前記正極端子および前記負極端子は、基端側から先端側に向かって径が小さくなるテーパ面を有しており、
前記バスバーは、前記テーパ面に沿った形状に形成され、前記正極端子および前記負極端子と接触する接触部を有することを特徴とする請求項１から３のいずれか１つに記載の蓄電装置。
【請求項５】
前記支持ユニットは、隣り合う２つの前記蓄電素子の間に配置されており、
前記バスバーは、前記支持ユニットの長手方向に沿って移動可能であるとともに、前記支持ユニットの長手方向に沿った軸の周りで回転可能であることを特徴とする請求項１から４のいずれか１つに記載の蓄電装置。
【請求項６】
前記支持ユニットは、前記バスバーを前記ケースの底面から離れた位置に保持させるためのストッパを有することを特徴とする請求項１から５のいずれか１つに記載の蓄電装置。
【請求項７】
前記複数のバスバーと、前記複数のバスバーを保持し、絶縁性材料で形成された保持部材とを備えたバスバーモジュールを有することを特徴とする請求項３から６のいずれか１つに記載の蓄電装置。
【請求項８】
前記バスバーは、前記正極端子および前記負極端子と接触する２つの接触部の位置関係を変更可能な曲げ部を有することを特徴とする請求項１から７のいずれか１つに記載の蓄電装置。
【請求項９】
前記支持ユニットは、
前記バスバーおよび前記ケースの底面を貫通するボルトと、
前記ボルトのうち、前記ケースの底面から突出した部分と噛み合うナットと、
を有することを特徴とする請求項１から８のいずれか１つに記載の蓄電装置。
【発明の詳細な説明】
【技術分野】
【０００１】
本発明は、複数の蓄電素子をケースの内部に収容した蓄電装置に関する。
【背景技術】
【０００２】
電池パックは、組電池と、組電池を収容するケースとで構成されている。組電池は複数の単電池で構成されており、複数の単電池は、複数のバスバーによって電気的に接続されている。
【先行技術文献】
【特許文献】
【０００３】
【特許文献１】特開２００２−１５７９８２号公報
【特許文献２】特開２０１０−０３３９１３号公報
【特許文献３】特開平０９−２１３２９２号公報
【特許文献４】特開２００２−１５７９８４号公報
【特許文献５】特開２００９−０８７７６１号公報
【特許文献６】特開２００９−０４８９７３号公報
【特許文献７】特開２００８−１８１７６５号公報
【特許文献８】特開２００６−３２４０６０号公報
【特許文献９】特開平１１−１０２６８０号公報
【発明の概要】
【発明が解決しようとする課題】
【０００４】
組電池のうち、いずれかの単電池、例えば、劣化が進んだ単電池を交換するときには、バスバーを取り外す必要がある。バスバーを単電池から取り外したときには、バスバーの紛失や損傷等が発生しないように、バスバーを保管しておく必要がある。
【課題を解決するための手段】
【０００５】
本発明である蓄電装置は、上面に正極端子および負極端子を有する複数の蓄電素子と、複数の蓄電素子を収容するケースと、各蓄電素子の正極端子および負極端子と接触し、複数の蓄電素子を電気的に接続する複数のバスバーと、ケースの底面から上方に延びており、各バスバーを貫通した状態で各バスバーを支持する支持ユニットと、を有する。
【０００６】
ここで、互いに接続されるアッパーケースおよびロアーケースを用いてケースを構成すれば、支持ユニットを、ロアーケースに固定することができる。支持ユニットをロアーケースに固定すれば、アッパーケースをロアーケースに接続する前に、支持ユニットによって支持されるバスバーの状態を確認することができる。
【０００７】
支持ユニットがバスバーを下方に押し付ければ、バスバーを正極端子および負極端子に接触させることができる。また、正極端子および負極端子には、基端側から先端側に向かって径が小さくなるテーパ面を設けることができる。そして、バスバーのうち、正極端子および負極端子と接触する接触部を、テーパ面に沿った形状に形成することができる。このように構成すれば、バスバーを下方に押し付けるだけで、バスバーを正極端子および負極端子に接触させることができるとともに、バスバーと正極端子（および負極端子）との接触面積を確保することができる。
【０００８】
支持ユニットは、隣り合う２つの蓄電素子の間に配置することができる。ここで、バスバーを、支持ユニットの長手方向に沿って移動可能とするとともに、支持ユニットの長手方向に沿った軸の周りで回転可能とすることができる。これにより、支持ユニットによってバスバーが支持されたままの状態で、バスバーを正極端子および負極端子から取り外したり、正極端子および負極端子に接続したりすることができる。
【０００９】
支持ユニットに対して、バスバーをケースの底面から離れた位置に保持させるためのストッパを設けることができる。これにより、バスバーを、正極端子および負極端子に近い位置に保持させることができ、正極端子および負極端子に対してバスバーを容易に取り付けることができる。
【００１０】
複数のバスバーを、バスバーモジュールとして構成することができる。具体的には、バスバーモジュールは、複数のバスバーと、複数のバスバーを保持し、絶縁性材料で形成された保持部材とで構成することができる。また、バスバーに対して、正極端子および負極端子と接触する２つの接触部の位置関係を変更可能な曲げ部を設けることができる。正極端子および負極端子が基準位置からずれていても、曲げ部を変形させることにより、正極端子および負極端子に対してバスバーを容易に取り付けることができる。
【００１１】
支持ユニットは、バスバーおよびケースの底面を貫通するボルトと、ボルトのうち、ケースの底面から突出した部分と噛み合うナットと、で構成することができる。ここで、ボルトおよびバスバーの間には、絶縁性を有する部材を配置することが好ましい。
【発明の効果】
【００１２】
本発明によれば、支持ユニットがバスバーを貫通した状態で支持しているため、バスバーを支持ユニット（言い換えれば、ケースの底面）に残したままとすることができる。これにより、バスバーの保管が容易となり、バスバーの紛失等を防止することができる。
【図面の簡単な説明】
【００１３】
【図１】本発明の実施例１である電池パックの構成を示す概略図である。
【図２Ａ】実施例１における単電池の正面図である。
【図２Ｂ】実施例１における単電池の側面図である。
【図２Ｃ】実施例１における単電池の上面図である。
【図３Ａ】実施例１におけるバスバーの側面図である。
【図３Ｂ】実施例１におけるバスバーの底面図である。
【図４Ａ】実施例１において、電池パックの一部の構成を示す側面図である。
【図４Ｂ】実施例１において、電池パックの一部の構成を示す上面図である。
【図５Ａ】本発明の実施例２において、電池パックの一部の構成を示す側面図である。
【図５Ｂ】実施例２において、電池パックの一部の構成を示す上面図である。
【図６Ａ】実施例２において、電池パックの一部の構成を示す側面図であって、バスバーを電極端子から外した状態を示す図である。
【図６Ｂ】実施例２において、電池パックの一部の構成を示す上面図であって、バスバーを電極端子から外した状態を示す図である。
【図７】本発明の実施例３におけるバスバーモジュールの上面図である。
【図８Ａ】実施例３におけるバスバーモジュールの一部を示す拡大図である。
【図８Ｂ】実施例３におけるバスバーモジュールの一部を示す断面図である。
【図９Ａ】実施例３の変形例におけるバスバーの上面図である。
【図９Ｂ】実施例３の変形例におけるバスバーの側面図である。
【図１０】本発明の実施例４において、電池パックの一部の構成を示す側面図である。
【発明を実施するための形態】
【００１４】
以下、本発明の実施例について説明する。
【実施例１】
【００１５】
本発明の実施例１である電池パック（蓄電装置に相当する）について、図１を用いて説明する。図１は、電池パックの構成を示す概略図である。図１に示すＸ軸、Ｙ軸およびＺ軸は、互いに直交する軸であり、本実施例では、鉛直方向に相当する軸をＺ軸としている。
【００１６】
電池パック１は、組電池１００と、組電池１００を収容するためのロアーケース１０１およびアッパーケース１０２とを有する。ロアーケース１０１およびアッパーケース１０２は、互いに接続されることにより、組電池１００を収容するスペースを形成する。
【００１７】
なお、本実施例では、ロアーケース１０１およびアッパーケース１０２が図１に示す形状に形成されているが、これに限るものではない。すなわち、アッパーケースおよびロアーケースによって、組電池１００を収容するスペースを形成することができればよい。例えば、ロアーケースが組電池１００の側面と対向する側壁を有しているとともに、アッパーケースが組電池１００の上面と対向する面だけで構成されていてもよい。
【００１８】
組電池１００は、複数の単電池（蓄電素子に相当する）１０を有している。複数の単電池１０は、Ｘ方向に並んで配置されており、電気的に直列に接続されている。なお、電気的に並列に接続された複数の単電池１０が含まれていてもよい。また、図１に示す組電池１００を複数用意しておき、複数の組電池１００をＹ方向に並べて配置することもできる。
【００１９】
単電池１０としては、ニッケル水素電池やリチウムイオン電池といった二次電池を用いることができる。また、二次電池の代わりに、電気二重層キャパシタを用いることもできる。なお、本実施例では、単電池１０を一方向に並べて配置しているが、複数の単電池１０を用いて１つの電池モジュールを構成し、複数の電池モジュールを一方向に並べて配置することもできる。１つの電池モジュールに含まれる複数の単電池１０は、電気的に直列に接続されている。
【００２０】
次に、単電池１０の具体的な構造について、図２Ａから図２Ｃを用いて説明する。図２Ａは、単電池１０をＸ方向から見たときの正面図である。図２Ｂは、図２Ａの矢印Ｄ１の方向から見たときの単電池１０の側面図であり、図２Ｃは、図２Ａの矢印Ｄ２の方向から見たときの単電池１０の上面図である。
【００２１】
図２Ａに示すように、単電池１０は、発電要素１１と、発電要素１１を収容する電池ケース１２とを有する。発電要素１１は、正極素子と、負極素子と、正極素子および負極素子の間に配置された電解質層とで構成されており、充放電を行う要素である。例えば、正極素子、電解質層および負極素子を積層した積層体を捲くことにより、発電要素１１を構成することができる。
【００２２】
電池ケース１２の上面には、正極端子（電極端子ともいう）１３および負極端子（電極端子ともいう）１４が配置されている。正極端子１３は、発電要素１１の正極素子と電気的および機械的に接続されている。また、正極端子１３は、基端部から先端部に向かって径が連続的に小さくなっており、テーパ面１３ａを有している。
【００２３】
負極端子１４は、発電要素１１の負極素子と電気的および機械的に接続されている。また、負極端子１４は、基端部から先端部に向かって径が連続的に小さくなっており、テーパ面１４ａを有している。なお、本実施例では、電極端子１３，１４の側面全体にテーパ面１３ａ，１４ａが形成されているが、これに限るものではない。すなわち、電極端子１３，１４の側面の一部にテーパ面が形成されていてもよい。
【００２４】
Ｘ方向で隣り合う２つの単電池１０は、図３Ａおよび図３Ｂに示すバスバー２０によって電気的に接続される。ここで、図３Ａは、バスバー２０の側面図であり、図３Ｂは、図３Ａの矢印Ｄ３の方向から見たときのバスバー２０の底面図である。バスバー２０は、導電性を有する材料によって形成されており、電気的に接続される２つの単電池１０の間で電流経路を形成している。
【００２５】
バスバー２０は、接続孔（接触部に相当する）２１，２２を有しており、接続孔２１，２２は、単電池１０の電極端子１３，１４と接触する。接続孔２１は、電極端子１３，１４のテーパ面１３ａ，１４ａに沿ったテーパ面で構成されており、接続孔２２は、電極端子１３，１４のテーパ面１３ａ，１４ａに沿ったテーパ面で構成されている。本実施例では、接続孔２１，２２がバスバー２０を貫通しているが、貫通していなくてもよく、電極端子１３，１４を挿入することができればよい。
【００２６】
バスバー２０において、２つの接続孔２１，２２の間には、貫通孔２３が形成されている。貫通孔２３には、図４Ａおよび図４Ｂに示すように、支持ユニット３０が挿入される。ここで、図４Ａは、電池パック１の一部の構成を示す側面図であり、図４Ｂは、図４Ａの矢印Ｄ４の方向から見たときの図である。図４Ａでは、バスバー２０の接続孔２１が負極端子１４に接触し、バスバー２０の接続孔２２が正極端子１３に接触しているが、逆の構成であってもよい。
【００２７】
支持ユニット３０は、ボルト３１と、ボルト３１と噛み合うナット３２とを有しており、Ｘ方向で隣り合う２つの単電池１０の間に配置されている。ボルト３１は、Ｚ方向に延びており、バスバー２０の貫通孔２３およびロアーケース１０１を貫通している。ボルト３１およびバスバー２０の貫通孔２３の間には、カラー３３が配置されている。
【００２８】
カラー３３は、絶縁性を有する材料（例えば、樹脂）で形成されており、ボルト３１およびバスバー２０の間の絶縁性を確保している。カラー３３は、接着剤等によってバスバー２０に固定されている。なお、カラー３３をバスバー２０に固定しなくてもよい。本実施例では、絶縁性を有するカラー３３を用いているが、これに限るものではない。例えば、バスバー２０の表面に絶縁性を有する層を形成すれば、カラー３３を省略することができる。
【００２９】
カラー３３は、円筒部３３ａおよびフランジ部３３ｂを有している。円筒部３３ａは、ボルト３１に沿ってＺ方向に延びており、バスバー２０の貫通孔２３に挿入されている。フランジ部３３ｂは、バスバー２０の上面に接触しており、フランジ部３３ｂとボルト３１の頭部３１ａとの間には、ワッシャ３４が配置されている。ボルト３１の先端部３１ｂは、ロアーケース１０１の外側に突出しており、ナット３２が取り付けられている。ロアーケース１０１には、凹部１０１ａが形成されており、凹部１０１ａは、ナット３２を配置するためのスペースを形成する。
【００３０】
ボルト３１の先端部３１ｂに対してナット３２を締め付けると、ボルト３１の頭部３１ａは、ワッシャ３４およびカラー３３のフランジ部３３ｂを介して、バスバー２０を下方向に押し込む。これにより、バスバー２０の接続孔２１，２２を電極端子１３，１４に密接させることができ、バスバー２０および電極端子１３，１４の電気的な接続を確保することができる。
【００３１】
本実施例では、電極端子１３，１４のテーパ面１３ａ，１４ａにバスバー２０の接続孔２１，２２を接触させることにより、電極端子１３，１４およびバスバー２０の接触面積を確保することができる。
【００３２】
また、バスバー２０を下方向に押し込むことにより、バスバー２０およびロアーケース１０１によって、単電池１０を挟んで保持することができる。言い換えれば、単電池１０をロアーケース１０１に固定することができる。このように、本実施例によれば、支持ユニット３０を用いることにより、バスバー２０を電極端子１３，１４に固定すれば、単電池１０をロアーケース１０１に固定することができる。これにより、電池パック１の組み立て作業を簡素化することができる。
【００３３】
本実施例において、バスバー２０を電極端子１３，１４から取り外すときには、まず、ボルト３１と噛み合うナット３２を緩める。ナット３２を緩めると、ボルト３１を上方にスライドさせることができる。ボルト３１を上方にスライドさせれば、バスバー２０を上方に移動させることができ、バスバー２０を電極端子１３，１４から外すことができる。
【００３４】
バスバー２０を電極端子１３，１４から外した状態においては、バスバー２０をボルト３１の周りで回転させることができる。そして、バスバー２０を回転させることにより、例えば、バスバー２０をＹ方向に沿って配置することができる。バスバー２０をＹ方向に沿って配置させれば、単電池１０を交換するときに、単電池１０がバスバー２０と干渉してしまうのを抑制することができる。ここで、Ｘ方向で隣り合う２つの単電池１０の間隔を、バスバー２０の幅（図４ＢにおけるＹ方向の長さ）以上に設定すれば、単電池１０をＺ方向において容易に取り出すことができる。
【００３５】
本実施例では、ボルト３１の頭部３１ａが上方に位置するように、ボルト３１が配置されているが、これに限るものではない。具体的には、ボルト３１の頭部３１ａを、ロアーケース１０１の凹部１０１ａによって形成されたスペースに配置することができる。この場合には、ボルト３１の先端部３１ｂが、カラー３３のフランジ部３３ｂから突出するようになり、この先端部３１ｂに対してナット３２を取り付ければよい。このような構成であっても、本実施例と同様の効果を得ることができる。
【００３６】
また、本実施例では、ナット３２を用いることにより、ボルト３１をロアーケース１０１に固定しているが、これに限るものではない。例えば、ボルト３１に相当する軸部材と、ロアーケース１０１とを一体的に構成することもできる。ここで、軸部材の上端部には、ナットが取り付けられるようになっており、ナットを締め付けることにより、バスバー２０を下方に押し付けることができる。
【実施例２】
【００３７】
本発明の実施例２である電池パックについて、説明する。ここで、実施例１で説明した部材と同一の機能を有する部材については、同一符号を用い、詳細な説明は省略する。以下、実施例１と異なる点について、主に説明する。
【００３８】
本実施例では、実施例１と比べて、支持ユニット３０に含まれるボルト３１の構造が異なっている。具体的には、図５Ａに示すように、ボルト３１は、凸状に形成されたストッパ部３１ｃを有している。ここで、図５Ａは、本実施例における電池パック１の一部の構成を示す側面図であり、図５Ｂは、図５Ａの矢印Ｄ５の方向から見たときの上面図である。
【００３９】
ボルト３１のストッパ部３１ｃは、バスバー２０を所定の高さに保持させるために用いられる。以下、ストッパ部３１ｃの機能について、具体的に説明する。なお、ボルト３１に対してストッパ部３１ｃを設ける位置は、適宜設定することができる。
【００４０】
図５Ａに示す状態において、ボルト３１に対するナット３２の噛み合い位置を下方に変化させると、ボルト３１を上方に移動させることができる。これに伴い、バスバー２０も上方に移動させることができ、バスバー２０の接続孔２１，２２を電極端子１３，１４から離れる方向に移動させることができる。接続孔２１，２２を電極端子１３，１４から抜けば、バスバー２０をボルト３１の周りで回転させることができる。具体的には、バスバー２０は、貫通孔２３を中心として回転することができる。
【００４１】
バスバー２０の長手方向がＸ方向からＹ方向に沿うようにバスバー２０を回転させると、図６Ａに示す状態となる。ここで、図６Ａは、バスバー２０を電極端子１３，１４から取り外した後における電池パック１の一部を示す側面図であり、図６Ｂは、図６Ａの矢印Ｄ６の方向から見たときの上面図である。
【００４２】
図６Ａに示すように、カラー３３の円筒部３３ａは、ボルト３１のストッパ部３１ｃと接触しており、ストッパ部３１ｃは、カラー３３の落下を阻止している。言い換えれば、ストッパ部３１ｃを省略すると、バスバー２０およびカラー３３は、ロアーケース１０１と接触する位置まで落下する。これにより、カラー３３は、ロアーケース１０１から離れた所定の高さに保持される。ここで、カラー３３は、バスバー２０（貫通孔２３）に固定されているため、バスバー２０も所定位置に保持される。
【００４３】
本実施例によれば、バスバー２０を所定位置（高さ）に保持させることにより、電極端子１３，１４に対するバスバー２０の取り付けを容易に行うことができる。ここで、ストパ部３１を省略すると、カラー３３は、ロアーケース１０１と接触する位置まで落下してしまう。この状態から、バスバー２０を電極端子１３，１４に再度接続しようとするときには、電極端子１３，１４が位置する高さまで、バスバー２０を移動させなくてはならない。
【００４４】
一方、本実施例では、バスバー２０がロアーケース１０１よりも上方の位置に保持されるため、電極端子１３，１４が位置する高さまで、バスバー２０を容易に移動させることができる。これにより、バスバー２０を電極端子１３，１４に対して容易に接続することができる。また、バスバー２０は、ボルト３１に取り付けられたままであるため、バスバー２０を紛失してしまうこともなく、単電池１０の交換を容易に行うことができる。
【００４５】
本実施例では、カラー３３をバスバー２０（貫通孔２３）に固定しているため、カラー３３の円筒部３３ａをストッパ部３１ｃに接触させるようにしているが、これに限るものではない。例えば、カラー３３をバスバー２０に固定していないときには、カラー３３およびバスバー２０をストッパ部３１ｃに接触させるようにすればよい。これにより、カラー３３およびバスバー２０を、所定の高さに保持することができる。
【実施例３】
【００４６】
本発明の実施例３である電池パックについて、説明する。ここで、実施例１で説明した部材と同一の機能を有する部材については、同一符号を用い、詳細な説明は省略する。以下、実施例１と異なる点について、主に説明する。
【００４７】
実施例１では、複数のバスバー２０が互いに独立しているが、本実施例では、複数のバスバー２０を一体的に構成している。図７は、本実施例で用いられるバスバーモジュールの上面図である。
【００４８】
図７に示すバスバーモジュール４０は、複数のバスバー２０と、複数のバスバー２０を保持する保持プレート（保持部材に相当する）４１とを有する。保持プレート４１は、絶縁性を有する材料（例えば、樹脂）で形成されている。図７に示す例では、Ｘ方向に並んで配置された複数の単電池１０の列を、Ｙ方向において２列で配置することにより、組電池を構成している。なお、実施例１で説明したように、複数の単電池１０がＸ方向に並んで配置された組電池１００に対しても、本実施例を適用することができる。
【００４９】
保持プレート４１は、開口部４１ａ，４１ｂを有しており、開口部４１ａ，４１ｂは、単電池１０の電極端子１３，１４を貫通させるために設けられている。開口部４１ａ，４１ｂを貫通する電極端子１３，１４は、ケーブルを介して負荷（不図示）と接続される。
【００５０】
本実施例の電池パック１を車両に搭載したときには、負荷として、モータ・ジェネレータを用いることができる。モータ・ジェネレータは、電池パック１からの電力を受けて車両を走行させるための運動エネルギを生成したり、車両の制動時に発生する運動エネルギを電機エネルギに変換して電池パック１に供給したりする。なお、電池パック１およびモータ・ジェネレータの間には、インバータやコンバータを配置することができる。
【００５１】
図８Ａおよび図８Ｂに示すように、保持プレート４１は、爪部４１ｃを用いてバスバー２０を保持している。図８Ａは、バスバーモジュール４０の一部を示す拡大図であり、図８Ｂは、図８ＡのＡ−Ａ断面図である。
【００５２】
保持プレート４１には、バスバー２０が収容される開口部４１ｄが形成されており、開口部４１ｄは、バスバー２０の外縁に沿って形成されている。開口部４１ｄの一部には、複数の爪部４１ｃが設けられている。バスバー２０の長手方向における両端部のそれぞれは、図８Ｂに示すように、一対の爪部４１ｃによって挟まれている。
【００５３】
本実施例では、バスバー２０の数だけ、実施例１で説明した支持ユニット３０が設けられており、複数の支持ユニット３０によってバスバーモジュール４０が支持されている。
【００５４】
本実施例においても、実施例１と同様の効果を得ることができる。具体的には、バスバー２０を電極端子１３，１４に固定することにより、単電池１０をロアーケース１０１に固定することができる。また、本実施例では、複数のバスバー２０が一体的に構成されたバスバーモジュール４０を用いているため、複数の単電池１０に対するバスバー２０の取り付けを容易に行うことができる。
【００５５】
本実施例では、図９Ａおよび図９Ｂに示すバスバー２０を用いることもできる。ここで、図９Ａは、本実施例の変形例であるバスバー２０の上面図であり、図９Ｂは、変形例であるバスバーの側面図である。本変形例におけるバスバー２０は、接続孔２１および貫通孔２３の間に、曲げ部２４を有しており、接続孔２２および貫通孔２３の間に、曲げ部２４を有している。２つの曲げ部２４は、図９Ｂに示すように、同一方向（図９Ｂの上方向）に向かって突出している。
【００５６】
バスバー２０に曲げ部２４を設けることにより、電極端子１３，１４に対するバスバー２０の接続を容易に行うことができる。複数のバスバー２０が一体的に構成されたバスバーモジュール４０を用いた場合には、一部の電極端子１３，１４が基準位置からずれると、この電極端子１３，１４にバスバー２０を取り付け難くなる。本変形例では、バスバー２０の曲げ部２４を変形させることにより、バスバー２０を電極端子１３，１４に対して容易に取り付けることができる。
【００５７】
例えば、電極端子１３，１４の間隔が広がっているときには、バスバー２０の接続孔２１，２２が互いに離れる方向（図９Ｂの左右方向）に変位するように、曲げ部２４を変形させることができる。これにより、バスバー２０の接続孔２１，２２を、間隔が広がって電極端子１３，１４に合わせることができる。
【００５８】
なお、本変形例では、図９Ａおよび図９Ｂに示す形状の曲げ部２４を用いているが、これに限るものではない。すなわち、曲げ部２４を変形させて、接続孔２１，２２の位置を変化させることができればよい。例えば、本変形例では、バスバー２０に対して、２つの曲げ部２４を設けているが、１つの曲げ部２４を設けるだけでもよい。
【００５９】
また、本変形例では、バスバーモジュール４０で用いられるバスバー２０に曲げ部２４を設けるようにしているが、これに限るものではない。すなわち、実施例１で説明したように、複数のバスバー２０が独立して設けられている構成において、各バスバー２０に対して、本変形例で説明した曲げ部２４を設けることができる。
【実施例４】
【００６０】
本発明の実施例４である電池パックについて、説明する。ここで、実施例１，２で説明した部材と同一の機能を有する部材については、同一符号を用い、詳細な説明は省略する。以下、実施例２と異なる点について、主に説明する。
【００６１】
実施例２では、バスバー２０を下方に押し付けることにより、バスバー２０の接続孔２１，２２を電極端子１３，１４に接触させているが、本実施例では、ボルトを用いることにより、バスバー２０を電極端子１３，１４に固定している。
【００６２】
図１０は、本実施例における電池パックの一部の構成を示す側面図である。図１０に示すように、正極端子１３には、ボルト５０のネジ部５０ａと噛み合うネジ溝１３ｂが形成されており、負極端子１４には、ボルト５０のネジ部５０ａと噛み合うネジ溝１４ｂが形成されている。バスバー２０には、ボルト５０のネジ部５０ａを貫通させる貫通孔２５が設けられており、貫通孔２５は、電極端子１３，１４に対応して設けられている。
【００６３】
バスバー２０の貫通孔２５を貫通したネジ部５０ａが正極端子１３のネジ溝１３ｂと噛み合うことにより、バスバー２０を正極端子１３の上面に固定することができる。これにより、バスバー２０および正極端子１３の電気的な接続を確保することができる。また、貫通孔２５を貫通したネジ部５０ａが負極端子１４のネジ溝１４ｂと噛み合うことにより、バスバー２０を負極端子１４の上面に固定することができる。これにより、バスバー２０および負極端子１４の電気的な接続を確保することができる。
【００６４】
本実施例では、実施例２と同様に、ボルト５０を取り外して、電極端子１３，１４からバスバー２０を離すと、単電池１０を交換することができる。ここで、支持ユニット３０におけるカラー３３の円筒部３３ａがストッパ部３１ｃと接触することにより、バスバー２０を、所定の高さに保持することができる。また、単電池１０を交換した後において、作業者は、所定の高さに保持されたバスバー２０を、電極端子１３，１４に固定する位置まで容易に移動させることができる。
【００６５】
本実施例によれば、単電池１０を交換する間も、バスバー２０は、支持ユニット３０によって支持されているため、バスバー２０を紛失してしまうのを防止することができる。
【符号の説明】
【００６６】
１：電池パック（蓄電装置）            １００：組電池
１０１：ロアーケース                  １０２：アッパーケース
１０：単電池（蓄電素子）              １１：発電要素
１２：電池ケース                      １３：正極端子（電極端子）
１３ａ：テーパ面                      １４：負極端子（電極端子）
１４ａ：テーパ面                      ２０：バスバー
２１，２２：接続孔（接触部）          ２３：貫通孔
３０：支持ユニット                    ３１：ボルト
３１ａ：頭部                          ３１ｂ：先端部
３１ｃ：ストッパ部                    ３２：ナット
３３：カラー                          ３３ａ：円筒部
３３ｂ：フランジ部                    ３４：ワッシャ
４０：バスバーモジュール              ４１：保持プレート（保持部材）
４１ａ，４１ｂ：開口部                ４１ｃ：爪部
４１ｄ：開口部                        ５０：ボルト
【図１】
2012028050.tif 000003
【図２Ａ】
2012028050.tif 000004
【図２Ｂ】
2012028050.tif 000005
【図２Ｃ】
2012028050.tif 000006
【図３Ａ】
2012028050.tif 000007
【図３Ｂ】
2012028050.tif 000008
【図４Ａ】
2012028050.tif 000009
【図４Ｂ】
2012028050.tif 000010
【図５Ａ】
2012028050.tif 000011
【図５Ｂ】
2012028050.tif 000012
【図６Ａ】
2012028050.tif 000013
【図６Ｂ】
2012028050.tif 000014
【図７】
2012028050.tif 000015
【図８Ａ】
2012028050.tif 000016
【図８Ｂ】
2012028050.tif 000017
【図９Ａ】
2012028050.tif 000018
【図９Ｂ】
2012028050.tif 000019
【図１０】
2012028050.tif 000020